(57)【要約】ビーム形状のパネル状音響放射体と、撓み波エネルギーを加える位置で前記ビームに取り付けられ、放射体中の低周波数モードを該放射体の長手方向と放射体の横方向の両方に励起することを可能にする振動励振器と、長手方向及び横方向の低周波数モードの励起を許容するように放射体を取り付けるための手段とを備える共振撓み波ラウドスピーカ。別の態様においては、本発明は、ビームの物理的なパラメータからビーム中に共振モードのモデルを導出することによってビーム上に振動変換器を配置するための位置を決定し、このモデルを使用し、変換器からビームへの機械的な入力を周波数を関数として計算し、機械的な入力の滑らかさの尺度を計算し、この滑らかさの尺度の所望の値を有する振動変換器の位置を選定することからなる共振撓み波ラウドスピーカの設計方法である。【選択図】図１
2005506013.tif 000002
【特許請求の範囲】
【請求項１】
ビーム形状のパネル状音響放射体と、
撓み波エネルギーを加える位置で前記ビームに取り付けられ、前記放射体中において低周波数モードを前記放射体の長手方向及び前記放射体の横方向の両方に励起することを可能にする振動励振器と、
長手方向及び横方向の低周波数モードの励起が許容されるように前記放射体を取り付けるための手段と、
を備えることを特徴とする共振撓み波ラウドスピーカ。
【請求項２】
前記ビームの縦横比が、少なくとも５対１で、５０対１より小さいことを特徴とする請求項１に記載のラウドスピーカ。
【請求項３】
前記ビームは、ｘ及びｙ方向の撓み剛性の比が５対１から１対５までの間の異方性材料であることを特徴とする請求項１又は請求項２に記載のラウドスピーカ。
【請求項４】
前記ビームの物理的なパラメータと前記ビーム上の前記変換器の位置は、前記ビーム内における長手方向及び横方向の周波数モードが交錯されて滑らかな低周波数応答を生成するようにされたことを特徴とする前記請求項のいずれか１項に記載のラウドスピーカ。
【請求項５】
前記取付手段が前記ビームの短い縁部を拘束することを特徴とする前記請求項のいずれか１項に記載のラウドスピーカ。
【請求項６】
前記取付手段は、前記放射体のモード分布に対する影響が最低限になる前記ビームの領域に取り付けられることを特徴とする前記請求項のいずれか１項に記載のラウドスピーカ。
【請求項７】
前記取付手段は、前記ビームの対向する側部に非対称な縁部条件又は境界条件を提供することを特徴とする前記請求項のいずれか１項に記載のラウドスピーカ。
【請求項８】
前記取付手段は、前記ビームの長い方の寸法に適用されたコンプライアントなテープ又はフィルム、或いは低弾性係数の発泡体の懸架を含み、低周波数モードを減衰させて周波数応答を滑らかにするものであることを特徴とする前記請求項のいずれか１項に記載のラウドスピーカ。
【請求項９】
前記振動変換器は電気力学的方式のものであり、前記ビームの低周波数における機械的インピーダンスが励振器のパラメータと相互作用して、低周波数領域のモードの周波数が前記励振器の存在によって変更されるラウドスピーカを創出することを特徴とする前記請求項のいずれか１項に記載のラウドスピーカ。
【請求項１０】
前記請求項のいずれか１項に記載の共振撓み波ラウドスピーカの設計方法であって、
ビームの物理的なパラメータから該ビームにおける共振モードのモデルを導出することによって、該ビーム上に振動変換器を配置するための位置を決定し、
このモデルを使用し、前記変換器から前記ビームへの機械的な入力を周波数を関数として計算し、
前記機械的な入力の滑らかさの尺度を計算し、
前記滑らかさの尺度の所望の値を有する前記振動変換器の位置を選定する、
ことを特徴とする方法。
【請求項１１】
前記機械的な入力の滑らかさの尺度は、平均入力の一定値からの前記入力の平均自乗偏差であることを特徴とする請求項１０に記載の方法。
【請求項１２】
前記機械的な入力は前記ビーム上の単一点に対して一定の点状の力が加えられるときのものとして計算されることを特徴とする請求項１０又は請求項１１に記載の方法。
【請求項１３】
前記滑らかさの尺度を最適化する振動変換器の位置を選定することを特徴とする請求項１０から請求項１２のいずれか１項に記載の方法。
【発明の詳細な説明】
【技術分野】
【０００１】
本発明は、パネル状ラウドスピーカに関し、より詳細には音響応答を生成するための撓み波の発生に依拠するラウドスピーカに関する。
【背景技術】
【０００２】
分布モードラウドスピーカ（ＤＭＬ）は国際特許出願番号ＷＯ９７／０９８４２に記載されており、パネルすなわちプレート内での共振撓み波モードの生成に依拠するものである。分布モードラウドスピーカは広い指向性を示し、５０Ｈｚから２０ｋＨｚまでの音響応答を生成することができる。ＷＯ９７／０９８４２は、ラウドスピーカの低周波数領域において高密度のモードを生成する縦横比（Ｌｘ／Ｌｙ）が等方性材料の場合１．１３対１及び１．４１対１であるパネル又はプレートの好適な実施形態を教示している。
【０００３】
長方形パネルの直交軸の１つに沿った最低周波数（ｆ0）と、その同じ方向におけるパネルの長さは、特定方向における撓み強さすなわち剛性（Ｂ）により、下の式（１）で表すことができる（これは厚さが均一な等方性の材料と均質なパネルを想定している）。
2005506013.tif 000003
ただし、
ｆ0：基本周波数（Ｈｚ）
Ｂ：撓み強さ（Ｎｍ）
ｌ：パネルの長さ
【０００４】
式（１）は、パネルすなわちプレートのための２方向における基本周波数又は最低周波数を予測するものであるが、特定のパネルすなわちプレートのためにより高いモード周波数を予測することもできる。プレート又はパネルは、すべて多くの撓みモードすなわち曲げモードを呈示し、それぞれのモードは、特定の周波数で動作してそれぞれ対応する独自のモード形状を示す。物理的な寸法、パネルの機械的な特性、及びシステムの境界条件を介してシステムの固有値を考慮することによって、モードが発生する周波数の予測をすることができる。
【０００５】
ＷＯ９７／０９８４２によって設計されたプレートの１例として、表１はＥｕｒｏ  Ｃｏｍｐｏｓｉｔｅｓ社のＡｃｏｕｓｔｉｃ  ８８−２ｍｍとして知られる材料（異方性比率が１．２）で作られた、フリー・フリー状態における１５０ｍｍ×１３１ｍｍ寸法のプレートのモード周波数を示す。Ａｃｏｕｓｔｉｃ  ８８−２ｍｍの特性は表２に示される。
表１．  フリー・フリー状態における１５０ｍｍ×１３１ｍｍのプレートのモード特性
2005506013.tif 000004
表２．  パネルの材料特性
2005506013.tif 000005
【０００６】
表１に使用された特定のモード形状を記述する表記について言えば、使用された表記は特定モードのノード線を考慮するものである。ノード線は、その特定の周波数に対しては変位を示さないモードの部分である。特定のモード形状についての表記のために、パネルの２つの直交軸に関して特定の軸を横切るノード線の数がカウントされる。
【０００７】
表１から、パネルの周波数応答は、パネルの両方向に生成されるモードによって支配されることが明らかになる。例えば、１ｋＨｚ未満では、次の（１，１）、（２，０）、（０，２）、（２，１）、（１，２）モードが励起される。
【０００８】
このシステムについて言えば、両方向のモードは、１ｋＨｚより小さい周波数においては「モード充填」すなわちモード分布に対してほぼ等しく寄与する。縦横比又はその他の物理的なパネルのパラメータの使用を介して、低周波数において高密度となるモード構成をもつことができるパネル設計が可能であるが、これらのモードすべてが励起手段によりパネル内で促進されることもまた望ましい。従って励起力の位置は、励起されるべきモードを決定する上で重要である。好適な励振器の位置は、必要な低周波数モードの大部分又はすべてが促進される位置とすることが好ましい。
【０００９】
パネルのいずれの縦横比についても、１組のモード周波数が解析によって予測できる。ＷＯ９７／０９８４２に基づいて設計された分布モードラウドスピーカについても、特定の周波数領域にわたるモード周波数を計算することができ、したがって、パネルの縦横比を調整し、また一方でパネルの機械的な特性を考慮することによって、このモード周波数を交錯させることが可能である。一般に、高周波数モードの数は低周波数のそれよりもはるかに多いので、ＤＭＬの高周波数性能は同じ程度のモードの交錯を必要としない。従って、要求される領域にわたるパネルのモード密度設計のときに、低い方の周波数のモード周波数が考慮される。
【００１０】
等方性材料については、選択範囲の中で２つの縦横比（１．１３対１と１．４１対１）がＷＯ９７／０９８４２において検討されており、これらは低周波数で良好なモード分布を取得するために使用できる。しかし、ｘ及びｙの２つの方向のパネル剛性が異なる場合（ＢｘとＢｙで示されるように）には、モード周波数は明らかに影響される。良好なモード分布を生成するために、そのような材料について新しい縦横比の組が考慮されるべきであり、それらもまたＷＯ９７／０９８４２に記載されている。
【００１１】
多くのＤＭＬ製品に対しては、空間的制約と美的要求から、ビーム状の高い縦横比のパネルが有効なことが分かるであろう。例えば、ＴＶ用途に関しては、ＴＶの前部フレームで使用できる限られた空間が、最大の帯域幅及びモード密度を得るためには、細長い、すなわち高い縦横比のパネルが要求されることを示す。
【００１２】
縦横比が大きくなると、システム内のモードの関係は、単純な長方形プレートと比較して周波数が変化し、分布は、長い方の寸法内のモードによって支配される傾向にある。表３は、表１のパネルと面積が同じであるが、縦横比が５０対１で、高度の異方性材料を使用し、剛性の高い方向がビーム幅を横切るように配置されたパネルについてのモード周波数を示す。
表３．  ビーム幅を横切る方向に剛性が高いフリー・フリー状態の９９０×２０ｍｍのプレートに関するモード周波数
2005506013.tif 000006
【００１３】
この説明の中で、長軸に対して直交しない横方向モードについて、用語「ねじれモード」を使用することを選択した。
表３から、（０，ｎ）長のモードが低周波数特性を支配することが明らかである。これは、ＷＯ００／７８０９０に記載された発明の場合である。（１，ｎ）すなわちねじれモードは、１．６８ｋＨｚの周波数で始まり、一方で、（２，ｎ）モードは、直交モード、幅方向モード、すなわち横断モードであり、８２．６ｋＨｚの最低周波数を有する。これら後の組のモードは、いずれもこのビームの低周波数特性に寄与しないので、最適な励振器位置の決定にとっては重要ではない。１方向のモードを特に促進することによって、独自の特性を示す音響装置が生成される。
【００１４】
【特許文献１】
国際特許出願番号ＷＯ９７／０９８４２公報
【発明の開示】
【課題を解決するための手段】
【００１５】
本発明は、ビーム形状のパネル状音響放射体と、該放射体中に低周波数モードを該放射体の長手方向及び該放射体を横切る方向の両方向に励起することを可能にする放射体上の位置で該放射体に取り付けられた変換器と、長手方向及び横方向の低周波数モードの励起が許容されるように放射体を取り付けるための手段とを備える共振撓み波ラウドスピーカを提供する。
【００１６】
ビームは、少なくとも５対１、そして５０対１より小さい縦横比を有するものとすることができる。
【００１７】
ビームは、ｘ及びｙ軸方向の撓み剛性比が５対１から１対５までの間の異方性材料とすることができる。
【００１８】
ビームの物理的な特性及びビーム上の変換器の位置は、ビーム内における長手方向及び横方向の周波数モードが交錯されて、滑らかな低周波数応答を生成するようにすることができる。
【００１９】
取付手段は、ビームの短い縁部を拘束するようにすることができる。取付手段は、それが放射体のモード分布に対して最小限の影響を有するビーム領域に取り付けることができる。
【００２０】
この又は各々の振動変換器の駆動位置は、図５から図１６までに示されるように、「レベル１」及び「レベル２」として規定された領域内に含まれる。
【００２１】
取付手段は、ビームの両側の側部について非対称の縁部条件又は境界条件を与えることができる。
【００２２】
取付手段は、ビームの長手方向に取り付けられたコンプライアントなテープ／フィルム又は軟質低剛性発泡樹脂の懸架により構成して、低周波数モードを減衰し、周波数応答を滑らかにすることができる。
【００２３】
ビームは、その機械的インピーダンスが周波数の平方根に比例して増加するような縦横比と機械的特性を備えることができる。
【００２４】
振動変換器は電気力学的方式のものとし、低周波数でのビームの機械的インピーダンスが励振器のパラメータと相互作用して、低周波数領域のモードの周波数が励振器の存在によって変更されるラウドスピーカを創出することができる。
【００２５】
別の態様では、本発明は前述した種類の共振撓み波ラウドスピーカを設計する方法であり、この方法は、ビームの物理的なパラメータから該ビームにおける共振モードのモデルを導出することによってビーム上に振動変換器を配置するための位置を決定し、このモデルを使用して変換器からビームへの機械的な入力を、周波数を関数として計算し、機械的な入力の滑らかさの尺度を計算し、滑らかさの尺度についての所望の値を有する振動変換器の位置を選択することからなる。
【００２６】
機械的入力の滑らかさの尺度は、平均入力の一定値からの該入力の平均自乗偏差とすることができる。一定値は、すべての傾向（例えば周波数とともに増加する）が除去された平均入力にコンプライアントなする直線（又は水平線）とすることができる。従って、一定値に関しては周波数の変化はない。機械的な入力は、ビーム上の単一の点に対して一定の点状の力を加えるときのものとして計算できる。
本発明は、例として添付図面に図式的に示される。
【発明を実施するための最良の形態】
【００２７】
本発明は、分布モードラウドスピーカとして使用できる高い縦横比のパネルの範囲に適用される。そのような高い縦横比を使用するラウドスピーカを設計するときに考慮される必要があるビームの幾つかの特性がある。本発明は、以下に挙げる３つの態様を有し、それぞれを順に説明される。
１．励振器の位置と縦横比を介してのビームモードの励起
２．ビームの音響特性に対する懸架の影響
３．励振器とビームとの間の相互作用
【００２８】
以下は、これらの特徴の一般的な説明であり、次いでこれらの特徴を表すものとして幾つかの実施形態が考慮される。
【００２９】
１．励振器の位置と縦横比を介するビームモードの励起
本発明の１つの要素は、励振器と懸架位置を使用して、縦横比が高いラウドスピーカシステムの音響出力を制御することである。縦横比が約１２対１の等方性パネルに関するモード周波数が表４に示される。
表４.  Ａｃｏｕｓｔｉｃ  ８８−２ｍｍのフリー・フリー状態の４９０ｍｍ×４０ｍｍのパネルのモード周波数
2005506013.tif 000007
2005506013.tif 000008
【００３０】
表４から、低周波数モードのほとんどは（０，ｎ）及び（１，ｎ）の組の周波数であることが明らかである。従って、このシステムにおいて低周波数の理想的なモード密度を得るためには、２つの組のモードを交錯させることが重要である。第１の（２，ｎ）の直交する横方向モードは５．５ｋＨｚで発生するので、低周波数モードを促進するための励振器の位置決めには適切ではない。
【００３１】
このビーム内に有効なモード周波数である（０，ｎ）と（１，ｎ）の両方を励起するためには、それに応じて励振器を配置することが重要である。（１，２）モードに関しては、基本的なモード形状は、図１に示されるように、短い方のビーム寸法に平行で該ビームに沿って１／３と２／３に配置されたノード線Ａと、長オン・アクシスのビームに沿って延びるノード線Ｂとを有する。縦横比が高いパネルにおけるこの特定のモードを促進するために、励振器はノード線から離して配置されるべきである。上に示されたノード線Ｂは、パネル内におけるすべての（１，ｎ）モードに関して共通であり、従ってこれらのモードを促進するためには、励振器は、例えばＡのように、この線から離して配置されるべきである。（０，ｎ）組のためのノード線はすべて短い方の寸法に平行であり、これらはまた励振器の配置の際に考慮されるべきである。
【００３２】
従って、一般的な規則として、縦横比が５対１からほぼ５０対１までの間の任意のパネルに関して、最適なモード密度、従って最も滑らかな低周波数応答を生成するためには、（１，ｎ）モードが励起され、これに（０，ｎ）モードが交錯されるべきである。励振器の好適な位置は、ＷＯ９７／０９８４２で特定された例えば４／９、３／７などのように実例に応じて異なる。本発明は、材料の種類の範囲に適用される。（０，ｎ）長さモードと交錯させるために、低周波数においてこれらのねじり横断モードを使用することも、従来技術の手法とは異なる。
【００３３】
縦横比が大きくなると、好適な励振器位置は長手方向の軸からより遠く離れる配置となる傾向にある。
【００３４】
任意のシステムに関して、パネルすなわちビームのための入力は、特定の周波数領域にわたるパネルの物理的な寸法、境界条件、及び機械的な特性から計算することができる。モード周波数上の統計的な解析を使用することによって、励起位置の像を与える駆動マップ（ノード線マップと同様な）を生成することが可能である。これらのマップは「滑らかさ」駆動マップと呼ぶことができる。
【００３５】
要するに、パネル上の励振器の位置を決定するための手法は、励振器が置かれた物体の特性のシステム的な評価である。詳細には、縦横比が高いパネルの固有モードの重ね合わせとしてシステムの解析モデルが設定される。これは、パネルの形状寸法と組成をベースとして行われる。次に、このモデルは、単一の点に一定の点状の力が付加されるものとして、機械的な入力を周波数を関数として計算するために使用される。次いで、この関数の滑らかさの尺度を与える最適化関数が、周波数を関数とする入力にコンプライアントなする直線からの平均自乗偏差から計算される。次に、周波数を関数として入力の滑らかさを最適化することによって、最良の励起点が求められる。
【００３６】
上に呈示された励起マップは、縦横比の領域にグループ分けされた上記の最適化手順の結果を表示する。マップ中に示された領域には滑らかさが増加している３つの領域があり、それらは一般に相当する縦横比領域にわたる挙動の特性である。
【００３７】
次に、それらは表５に挙げられるように３つの別々のレベルに分離される。図２から図５までは、これらの領域が縦横比の領域について特定された１組の励起マップを示す。各々のレベルは、その特定のシステムに関して表された交錯の相対的な程度を与える。これらの励起マップは、全体にわたるものではなく、境界条件がパネルの２つの直交軸に対称であるので、パネルの１／４を示すだけである。
表５．  励振器配置のためのパネル領域の最適化レベル
2005506013.tif 000009
【００３８】
幾つかの用途に関しては、設計者は特定モードすなわちビーム中のモードのより支配的な励起を選択する可能性があるので、「レベル１」の交錯は適切さが低いであろう。高い程度の交錯の目的が、ビーム中の実行可能な最低周波数の促進とは異なることに注目するのは重要である。幾つかの用途にとって、これはより重要な要求であり、設計者は交錯と帯域幅に対して特定のバランスのためのパラメータを選択することができる。
【００３９】
前に説明したように、大抵のラウドスピーカシステムは、パネルが固定されてフレーム中で安定するように、パネルを何らかの形態で機械的に支持することを要求する。パネル中の振動又はモードがフレームに大幅に伝達されないことを確実にするのも、これらが不要な振動と騒音の原因になる可能性がある場合には重要である。柔軟な発泡樹脂又はコンプライアントな材料は、これらの振動を効果的に吸収するのに有効であり、そして、大きな質量や余分な剛性をラウドスピーカに付加することがないので、この目的のために使用されることが多い。しかし、懸架及びその位置のパネルにおけるモード分布に対する影響が良好であり、或いは有益でさえあることを確実にするために、これらの影響を考慮することが有用である。励振器を配置するための最適位置を見つけるのに使用される励起マップは、懸架又は材料取付のための適切な位置を見つけるのを助けるためにも使用できる。支持のための良好な位置は、対象物の特定の周波数領域に関するノード線である。従って、すべての励起マップ（図２から図５まで）において、レベル３の領域は、懸架／取付にとってシステムのモード周波数との相互作用を制御するのに好適な位置である。
【００４０】
このセクションでは、縦横比の領域に有効な多くの励起マップが考えられるであろう。縦横比が最適な励起位置に対して大きな影響を有することは明らかであるので、５対１から３５対１までの縦横比をカバーする多くの汎用励起マップが生成されている。これら励起マップ上の領域には、励振器の座標に関して±１０％の許容差があることは注目されるべきである。これは、これらの励起マップが縦横比のある範囲に対して適用できるためである。セクション１で説明されたように、パネルの異方性比率は、パネル中のモードに対して、従って最適な励振器の位置に対して大きな影響を持つものである。従って、異方性の考慮は、励起マップを表示する場合に重要である。このセクションにおけるすべての励起マップ（図２から図５）では、各方向に７対１までの異方性が示される。
【００４１】
特定のパネルにおいて、設計者は選択されたパラメータに基づいて特定の励起マップを解析することができる。
【００４２】
図２は、Ａｃｏｕｓｔｉｃ  ８８−２ｍｍ製で、フリー・フリー条件の１８対１から５０対１までの縦横比の自由端パネルについて、表５に示されるように領域が分けられている場合の、これら汎用励起マップの１つを示す。すべての側部上で同じ境界条件を有するビームにおいては、結果を示す必要があるのはパネルの四半分であるので、図２は、パネルのこの四半分だけについてのものである。先に説明されたように、明らかに、良好な位置（レベル１の）は、パネルの長い縁部寄りであり、また短い縁部寄りであることが分かる。実際問題として、短い縁部に隣接する領域は、有限サイズの励振器を取り付けるには狭い領域であるので、励起するのがより困難である。従って、長い縁部に隣接するより広い領域が最も実際的な解決としては好適である。
【００４３】
異なる縦横比の範囲に関する場合がまた、以下で考慮される。
【００４４】
図３は、フリー・フリー条件で縦横比ＡＲが１２対１≧ＡＲ＜１８対１のパネルについての汎用励起マップを示し、幾つかの異なる最適励起位置を示す。図２におけるように、短い縁部に隣接するレベル１の領域は実際的な解決法ではない。２つの別々の「レベル１」領域がここに提示され、拡張された「レベル３領域」が示されている。
【００４５】
図４は、フリー・フリー条件で縦横比ＡＲが７対１≧ＡＲ＜１２対１のパネルの汎用励起マップを示し、図３と比較して多くの類似点を示している。「レベル１」領域は図３と比較してパネルのより大きな部分の端から端まで延びるが、そこにはより大きな「レベル３」領域もある。
【００４６】
図５は、フリー・フリー条件で縦横比ＡＲが５対１≧ＡＲ＜７対１のパネルの場合を示す励起マップである。パネルの長手方向寸法の中間点は、高い縦横比（レベル１からレベル２にグレードダウンした）と比較したとき、有用性がより少なくなっている。
【００４７】
すべての励起マップ（図２から図５）についての共通の特徴は、ビームの長手方向寸法に関する中央軸が最適な励起位置（すなわち「レベル１」）ではなく、好適な懸架位置が長手方向寸法の縁部寄りであることである。最適な、すなわち「レベル１」の励起位置は、ビームの長い縁部寄りの位置になる傾向がある。これは、低周波数においてモードの交錯を最適化するときに、（１，ｎ）モードが考慮される必要があるという事実を裏付ける。
【００４８】
２．ビームの音響特性に対する懸架の影響
セクション１は、使用可能なモード密度が自由支持パネルのために最適化されるように、励振器及び懸架位置を特定するために、励起マップを使用することについてのものである。しかし実際には、非常に高い縦横比のパネルを使用するほとんどの用途は、パネルを支持するための境界条件と、パネルの前方放射を後方放射から分離するための、すなわち相殺問題及びそれに対応する低周波数の減衰を解消するための、バッフルの形態とを含むことになる。
【００４９】
従って、このセクションでは、機械的特性（モード周波数）及び音響特性に対する境界条件の影響の幾つかが検討される。第１に、種々の境界条件とそれらの機械的／音響パネル的特性に対する影響の広義の説明が与えられる。
【００５０】
支持なし縁部の境界条件
支持なし縁部の条件は、その縁部に何も力が加えられず、かつ何らかの形態の支持部に接続されない条件である。この条件は、特定のパネルについての最低の組のモードを導き出すものであるが、前述したように前方及び後方放射を分離するための要求と、パネルに対する支持を提供する要求のために、実用上は実行可能ではない。
【００５１】
固定された境界条件
固定された境界条件はどの方向にもビームの変位又は回転が発生しない場合である。実際問題として、真の固定された境界条件は特に高周波数において達成するのが非常に難しい。縁部を固定することによってアクティブな振動領域はパネルの中央の領域に制限される。
【００５２】
単純支持された境界条件
この縁部条件は振動は可能ではないが回転は自由な場合である。再度、この縁部の条件を生成することは、パネルの縁部におけるすべての回転がパネルの垂直方向の変位によって達成されること多いので、実際には難しい。
【００５３】
コンプライアントな懸架縁部条件／複合インピーダンス縁部末端
薄いコンプライアントなフィルム又は１００ミクロンより小さい厚さでヤング率が４ＧＰａより低いテープは、パネルをその周縁部において支持するために使用することができる。そのような境界の末端には、支持なし縁部条件の効果と単純支持された境界条件の効果との間の効果がある。より低いモード周波数は、支持なし縁部条件のためのモード周波数と比較して、この末端によって高い周波数にシフトされる。縁部末端のこの方法を使用する１実施形態が後のセクションで説明される。
【００５４】
ビーム上の異なる縁部条件の効果
短い縁部条件
縦横比が５対１を超えるビームのパネルモードの大部分は、長い方の寸法に平行である。ビーム中の（０，ｎ）モードにおいては、短い縁部の縁部条件は大きな効果がなく、一方で（１，ｎ）モード周波数に関する周波数の％変化はより大きくなる。それにもかかわらず、これら２組のモードの交錯は、低周波数特性に対して重要である。
【００５５】
明らかに、ビームの短い端部を単純支持又は固定支持することによって、フリー・フリー状態の場合と比較して励起マップが変更されることになる。図６から図９までは、長い縁部が自由にされ、一方で、短い縁部が、先のセクションで詳細に説明されたのと同じ縦横比の領域にわたって単純支持される場合を示す。図１０から図１３までは、長い縁部が自由にされ、一方で、短い縁部が縦横比の範囲にわたって固定された場合を示す。
【００５６】
図６から図１３までに示されたすべての励起マップにおいて、固定又は単純支持された縁部のすぐ隣には、固定縁部の近傍にあるために励起点としては明らかに不適切な領域がある。図６から図１３までに示された固定又は単純支持された縁部条件に関して同じ縦横比の領域を比較すると、それらには明らかに幾つかの共通の特徴がある。
【００５７】
縦横比が高いラウドスピーカの音響特性を変えるために、ビームの非対称縁部条件もまた使用することができる。異なる縁部条件を使用することによって、非対称モードのシステムを創出することができる。このシステムについての結果として得られる励起マップもまた、非対称のパターンを示す。同じ範囲の縦横比に関連するが、短い方の端部において自由、単純支持、及び固定支持状態の縁部条件にある図２、３、６、及び１０から、長い寸法に平行な中央軸がレベル１の領域ではないことが明らかである。しかし、システムの１つの側部に対してコンプライアントな縁部末端が適用される場合には、励起マップが非対称になり、中央軸がこのラウドスピーカにとって改良された励起位置となる。パネルの両側の２つの側部の特性は、モード分布のシフトが考慮されるか、又は低周波数特性が影響されるように調整されるべきであろう。
【００５８】
長い縁部条件
ビームの長い側部に沿って単純支持又は固定された縁部は、モード周波数に対して有害な影響を有する。モードはより高い周波数にシフトされ、低周波数特性が制限される結果となる。しかし、非常にコンプライアントな発泡樹脂の懸架又はコンプライアントなテープ／フィルムは、長い縁部で或る程度の変位を許容し、スピーカの帯域幅を極端に犠牲にすることなく、その長い寸法に沿ってビームに使用することができる。先に説明したように、これはまた前方放射から後方放射を分離するために役立つ。
【００５９】
高縦横比のパネルに対してコンプライアントな縁部条件を使用する実施例が、以下の実施形態のセクションにおいて考慮される。
【００６０】
縁部におけるエネルギー吸収
ビームの縁部末端はまた、顕著なエネルギー吸収能力を有し、システムのモード形態又はモード密度に影響するように使用することもできる。ビーム周辺に配置された軟質発泡樹脂又はコンプライアントなテープ／フィルムは、特定周波数のエネルギーを吸収するために使用することができるので、境界から反射されたエネルギーに影響を及ぼす。これらの縁部末端の形態は、対応する剛性、質量、及び減衰（抵抗）を有し、それらはシステムのモード周波数に影響を及ぼす。これは縁部での機械的インピーダンスの解析を介してモデル化することができる。
【００６１】
ビームの機械的インピーダンス
薄いビームでは、合成機械的インピーダンスは以下のように規定される（ｐｇ  ３１７、「Ｓｔｒｕｃｔｕｒｅ−Ｂｏｒｎｅ  Ｓｏｕｎｄ」「Ｋｒａｍｅｒ  Ｈｅｃｋｅｌ及びＵｎｇａｒ」）。
Ｚm＝２ｍ′ｃB（１＋ｊ）      （１１）
ここで
ｍ′  ビームの単位長さ当たり質量（ｋｇｍ-1）
ｃB  撓み波の速度（ｍｓ-1）
機械的インピーダンス係数は従って次の通りである
2005506013.tif 000010
（１２）
【００６２】
式（１１）と（１２）から、ビームの機械的インピーダンスはωの平方根の関数となることが分かる。これは励振器がその励起点で直面するインピーダンスに影響を及ぼす。
【００６３】
ビームが励振器に取り付けられる場合には、関連する励振器／ビームのパラメータを解析するために、Ａｃｏｕｓｔｉｃ  ８８−２ｍｍ（紙製ハニカムに紙の表皮が付いた）製のビーム（６００ｍｍ×３３ｍｍ）と、ＮＥＣ製の１３ｍｍ電気力学的励振器の特定の例が考察される。図１４は、Ｈｚで表示された周波数に対するｄＢで表示されたビームインピーダンスの計測値を示す。
【００６４】
励振器は高周波数のときよりも低周波数においてより低いインピーダンスを示すことが図１４から明白である。結果としての音響応答に対する励振器のパラメータの効果を解析するために、図１５に示されるように、幾つかの基本的な励振器のパラメータを図１４上に直接プロットすることができる。
【００６５】
図１５は、このビームの機械的インピーダンスの計測値を示すもので、これは、線として示される理論解析と非常に良く対応している。プレートＺｍは一定値としてプロットされ、計測値は高周波数においてこの限界の方向に向いている。しかし、励振器上のボイスコイルの局部的な剛性効果のために、計測されたビームＺｍが理論プレートＺｍより高くなることは、注目する価値がある。これは、図１５に示されるようにＺｍの計測値の増大につながる。
【００６６】
励振器のコンプライアンスＣｍｓ
励振器についてのコンプライアンス（励振器の懸架）もまた、図１５にプロットされる。その傾きは、低周波数での機械的インピーダンスの計測値の傾きと一致する。
【００６７】
図１６は、図１５に示されたビームと励振器の組合せに関するオン・アクシス音圧に対して、励振器のコンプライアンスを変えた効果のシミュレーションを示す。ビームにおける最初の４つのモードでは、励振器懸架のコンプライアンスの変更が、モード周波数と振幅に対して大きな影響を及ぼした。励振器のコンプライアンスを増やすこと、これによって剛性を小さくすることは、モード周波数を下方にシフトする結果となったが、振幅は増加した。その反対に、励振器のコンプライアンスを減らすと、結果的に振幅が減少しモード周波数が増加した。このコンプライアンスの変更を介したモード周波数の変更は、５０Ｈｚから約３００Ｈｚまでの周波数領域で有効である。ビームのインピーダンスが増えると、より高い周波数における懸架のコンプライアンスの効果がより少なくなることが図１６から明白である。
【００６８】
図１７ａと図１７ｂは同じ実験の設定を示すが、ここでは、１０−１００Ｈｚと１００Ｈｚ−１ｋＨｚの間の励振器の励起点速度をそれぞれ計測している。これは、図１６に示されたのと同じ傾向を反映している。５００Ｈｚより下のモード周波数は、励振器のコンプライアンスの変更によって顕著に影響される。
【００６９】
励振器に支持される質量Ｍｍｓ
励振器の質量は、システムの周波数応答が「減衰」し始める周波数を決定する。同じパネル領域では、ビームの方が同じ面積のパネルよりも低い減衰周波数を有する。
【００７０】
励振器の位置
励振器を単純なプレート上に配置すると、これらの２つの部品は別々のものと見なすことができ、２つの部品間の交互作用はモード周波数に対して最小限の影響を有する。しかし、ビームにとって、低周波数でのより低い機械的インピーダンスにより、低周波数モードに伴って交互作用が増加する結果となる。図１８は、ビームの長さに沿って別々の励振器位置の領域を有するビームＢの図表である。図１９は、これらの位置の３つの励起点で計測された速度を示す。明らかに、励振器の位置はビームの低周波数モードに対して影響を及ぼす。
【００７１】
要約すると、図１５は、低周波数における励振器のパラメータが、プレートのためよりも、ビームの機械的な挙動に対してより大きな影響を有することを示す。
【００７２】
本発明の原理を説明するために、本発明の特徴を説明する多くの特定の実施形態が考察される。以下の図は、これら実施形態の設計／設定と音響応答を示すものである。
【実施例１】
【００７３】
図２０は、ラウドスピーカ（４０）の第１の実施形態であり、パネルの低周波数モードを交錯させるのに最適な励振器の位置を決定するために励起マップを使用する利点を示している。
【００７４】
材料の剛性の高い方向が長い方向に平行に配向されたＡｃｏｕｓｔｉｃ  ８８−２ｍｍから成り、寸法が４９０ｍｍ×４０ｍｍ（縦横比が１２．２５対１）のビーム状のパネル（４１）が、短い方向のパネル縁部を剛性フレーム（４２）に対して接着接合することによって、この縁部で単純支持される。ビームの長い方向の縁部は、フレームとパネル材料自体に剛に接合されたコンプライアントな自己接着型ＰＶＣの単一ストリップを介して支持される。単一の移動コイル式振動励振器が、位置ＢＡ及びＢＩの１方でパネルに対して接着接合され、励振器の背面すなわちマグネット組立体は、フレーム（４２）に固定されたアルミニウムの部分（図示されていない）に剛に接地された。
【００７５】
励振器の位置は、図３に示される励起マップに基づいて選択された。図３に示されるように、位置ＢＩはレベル２の領域に配置され、一方位置ＢＡはレベル１の領域に配置される。このラウドスピーカの音響出力は、２つの励振器領域について図２１に示される。位置ＢＡに関しては、音響出力は１５０Ｈｚから２ｋＨｚの間でより滑らかであり、位置ＢＡにおける音響出力の場合のように、ほぼ２００Ｈｚでのふらつきがない。モードの滑らかさは位置ＢＡに関しては改良されているが、ＢＩにおいては、低周波数限界周波数がより低くなる。前述したように、これは帯域幅ではなくモード密度すなわち滑らかさに基づいて励振器を配置した結果である。設計者は、これらの要因の好適なバランスを選択することができる。
【実施例２】
【００７６】
図２２は、ラウドスピーカ（４０）の第２の実施形態であり、パネルの低周波数モードを交錯させるのに良好な励振器の位置を決定するために励起マップを使用する利点を示している。
【００７７】
材料の剛性の高い方向が長い方向に平行に配向されたＡｃｏｕｓｔｉｃ  ８８−２ｍｍから成り、寸法が６００ｍｍ×３３ｍｍ（縦横比が１８．２対１）のビーム状のパネル（４１）が、大きさが８００ｍｍ×８００ｍｍのバッフル（４３）中に、すべての縁部が自由な条件で設定される。ビームの前面はバッフルの前面とレベルに、すなわち「面一に」配置される。パネル縁部とバッフル間には１ｍｍのギャップがビームの全周縁部の周りに保持される。単一の可動コイル式振動励振器が、図２２に示す位置ＡＤ及びＡＩの１方でパネルに対して接着接合され、励振器の背面すなわちマグネット組立体が、バッフル（４３）に固定されたアルミニウムの部分（図示されていない）に剛に接地された。この励振器の位置は、図２により与えられる励起マップに基づいて選択された。図２２上の位置ＡＤはレベル１領域内に位置するものとして、また、図２２上の位置ＡＩはレベル２の領域内に位置するものとして、この励振器の位置を示す。この励起マップはフリー・フリー条件のもとでのこの特定の縦横比のパネルと関連する。
【００７８】
このラウドスピーカにおけるオン・アクシス音圧の設定は、半無反響条件のもとで実行され、この計測値は図２３に示される。位置ＡＤに関しては、位置ＡＩに関する音響応答と比較した場合、１５０Ｈｚから２ｋＨｚまでの音響応答は滑らかであり、平坦である。低周波数限界は両方のパネルにおいてよく似たものとなっている。
【実施例３】
【００７９】
図２４はラウドスピーカ（４０）の第３の実施形態を示しており、低周波数におけるモード分布に対する懸架位置の影響を最小にするように懸架位置を配置するために励起マップを使用する利点を示している。
【００８０】
この実施形態は、Ａｃｏｕｓｔｉｃ  ８８−２ｍｍ（寸法４９０ｍｍ×４０ｍｍ）で、すべての縁部が自由条件のビーム（４１）から成る。２片のＰＶＣからなるコンプライアントな発泡樹脂（４４）（サイズ１０ｍｍ×５ｍｍ×５ｍｍ）が、励振器と同じ側でビームに配置され、これらの発泡樹脂懸架の位置は、パネル上のレベル３の領域内に配置されるように励起マップ（図６）から導き出される。このようにして、システムの低周波数モードに対する懸架の影響が最小にされることになる。１９ｍｍの電気力学的励振器がＡＤに配置され、発泡樹脂の懸架がある場合とない場合について、このシステムにおけるオン・アクシス音圧が測定された。発泡樹脂の懸架は剛性支持フレーム（４２）に接着され、励振器もまた剛性支持フレームに接地された。発泡樹脂の懸架がある場合とない場合の音響の計測値が図２５に示される。
【００８１】
自由縁部の場合、ＡＤの位置（レベル１領域）に配置された励振器について予測されるように、２００Ｈｚから２ｋＨｚまでの間の音響応答は滑らかである。システムに対する発泡樹脂の懸架パッドの追加により、この周波数領域間でこのモード分布が大幅に変わることはなかった。自由縁部の場合に１１０Ｈｚで発生した低周波数モードだけが周波数の上方にシフトされ、そのためそれは隣のモードとより密接に交錯する。従って、励起マップによって提供されたガイドラインに従うことによって、この場合発泡樹脂懸架の追加は周波数応答に悪影響を及ぼさなかった。
【実施例４】
【００８２】
図２６はラウドスピーカ（４０）の第４の実施形態であり、ビーム状パネル（４１）の全周縁の周囲に配置された連続縁部末端（４５）を有するシステムの音響特性を示している。
【００８３】
この実施形態は、高縦横比のパネルの音響応答に対するコンプライアントな縁部末端を使用する効果を示している。この場合、縦横比が１２．２５対１（４９０ｍｍ×４０ｍｍ）で、２５ｍｍ直径の電気力学的励振器を使用して励起されるパネルのすべての縁部が自由状態に設定された。図６の励起マップを使用して考察し、励振器をレベル２の位置に配置した。前述したように、システムは、大きさが８００ｍｍ×８００ｍｍのパネルの前面が、バッフルの表面と面一となるようにバッフル（４３）内に設定される。励振器は前と同様にフレーム（４２）に剛に接地される。
【００８４】
オン・アクシス音圧がこのシステムにおいて計測され、図２７に示される。ほぼ２ｋＨｚにおける「ふらつき」は回折効果であり、部分的に前部から後部への減衰のためである。励振器がレベル２の領域ではなく、パネル表面上のレベル１の領域に配置されていたとすれば、周波数応答はそれほど高密度ではない。これは、低周波数では不満足なモード密度となる。
【００８５】
次に、システムは、コンプライアントな縁部末端の追加によって変更された。これは２５ミクロン厚さの自己接着テープを介して、パネルのすべての周縁の周りでパネルとバッフルに接着接合された５０ミクロン厚さのコンプライアントな熱可塑性フィルムから成る。このフィルムの密度は約１１０ｋｇ／ｍ-3であり、引っ張りヤング率は約０．２−０．３Ｇｐａである。このフィルムには引っ張り力は付与されず、そのためパネル縁部の変位が可能であった。
【００８６】
図２７は、このシステムの音響応答に対するこの縁部末端の影響を示す。高周波数の応答はそれほど大きな影響を受けなかったが、低周波数応答は大幅に変わった。１００Ｈｚから１ｋＨｚまでは変化の程度に伴って低周波数で最大限出力は増加した。低周波数でのパネルの個々のモードが拡げられ、そのために周波数応答はより滑らかになっている。懸架材料の追加により、システムに対する減衰の程度が追加され、そのためにこれらのモード周波数が拡げられた。
【００８７】
図２８から図３１までは、フラットパネルモニタ用すなわちディスプレースクリーン（４７）用の増設用ラウドスピーカとして意図された、縦横比が非常に高いパネル状ラウドスピーカ（４０）の実用的な実施形態を示すものであり、ディスプレースクリーンはフレームすなわちケーシング（４８）内の液晶ディスプレー（ＬＣＤ）とすることができる。美的観点からのこの用途の要求は、分布モードラウドスピーカ又は従来のピストン式円錐スピーカにおけるより低い縦横比に比べて、高い縦横比における解決を有利にする。
スピーカの仕様は以下のとおりである。
2005506013.tif 000011
【００８８】
図２８は、両側にビーム状のパネル状スピーカ（４０）を備えたフラットパネル・ディスプレースクリーン（４７）の全体的な図である。図２９は、背面から見たスピーカパネル（４１）であり、励振器の位置（４９）と懸架領域（４４）の位置の両方を示している。
【００８９】
懸架位置の選択は２つのパラメータによって決定された。第１に、ほとんどの周波数領域にわたる自由パネルに対して良好な近似を提供するために、パネルの各端部にこの領域のノード線に隣接して、長さ３２ｍｍの２つの発泡樹脂の支持体（４４）が配置された。これにより自由境界条件のために生成された励起マップが使用できるようになる。第２に、パネルの長い側部に沿った懸架が選択され、パネルの低周波数変位が制御された。これにはパネルに対していくぶんかの静的で構造的な安定性を提供し、装置を頑丈にするという利点もある。
【００９０】
パネルは、ＬＣＤモニタ（４７）のケーシング（４８）に取り付けるためのフレーム（図示されていない）に取り付けられる。このフレームがパネルに対して呈示するエンクロージャは、後部が半解放型である。これにより低周波数特性が良好になり、完全にシールされたラウドスピーカユニットで経験される低周波数特性の急激な低下を、幾分かは防ぐことができる。
【００９１】
スピーカの特性が図３０に示されており、それは１Ｓの入力で励起されたときのモニタスクリーン（４７）から０．５ｍの音圧レベルの空間平均を示すものである。軌跡は第３オクターブに滑らかにされた。
【００９２】
２つのサテライトスピーカ（４０）によって生成された音圧レベル（ＳＰＬ）は単一のウーハ（図示されていない）によって増大され、低周波数出力がもたらされる。これは縦横比が高いパネルの出力とウーハに対する交差点との、両方のアクティブな均等化と組み合わせられる。図３１は達成された最終的な周波数応答を示すもので、最終結果の滑らかさと高品質とを表している。データは滑らかにされた第３オクターブであり、任意のｄＢの尺度レベルに対して呈示される。
【００９３】
本実施形態のキーとなる特性は、
１対８．８の高い縦横比のパネルと、
（０，ｎ）と（１，ｎ）の両方のモードを励起するための対称中心軸を外して配置された励振器と、
自由端境界条件と、
を含む。
【００９４】
図４に示されるレベル１領域（７対１＞ＡＲ＞１２対１）の近くに配置された励振器には、使用される励振器のサイズによって制約される本アプリケーションの機械的な拘束が付与される。励振器の位置は、励起マップで使用されるのと同じ位置の規則で０．１７Ｌｘ、０．７１Ｌｙに対応する。追加の発泡樹脂支持体は、低周波数の変位を制御して構造的な安定性をもたらす。
【図面の簡単な説明】
【００９５】
【図１】ビーム状の高縦横比のＤＭパネルに関するノード線マップである。
【図２】縦横比が１８対１から５０対１までのパネルの駆動マップの四半分である。
【図３】縦横比が１２対１から１８対１までのパネルの駆動マップの四半分である。
【図４】縦横比が７対１から１２対１までのパネルの駆動マップの四半分である。
【図５】縦横比が５対１から７対１までのパネルの駆動マップの四半分である。
【図６】縦横比が１８対１から５０対１までで、短軸が単純支持され長軸が自由端のパネルの駆動マップの四半分である。
【図７】縦横比が１２対１から１８対１までで、短軸が単純支持され長軸が自由端のパネルの駆動マップの四半分である。
【図８】縦横比が７対１から１２対１までで、短軸が単純支持され長軸が自由端のパネルの駆動マップの四半分である。
【図９】縦横比が５対１から７対１までで、短軸が単純支持され長軸が自由端のパネルの駆動マップの四半分である。
【図１０】縦横比が１８対１から５０対１までで、短軸が固定支持され長軸が自由端のパネルの駆動マップの四半分である。
【図１１】縦横比が１２対１から１８対１までで、短軸が固定支持され長軸が自由端のパネルの駆動マップの四半分である。
【図１２】縦横比が７対１から１２対１までで、短軸が固定支持され長軸が自由端のパネルの駆動マップの四半分である。
【図１３】縦横比が５対１から７対１までで、短軸が固定支持され長軸がフリー・フリー状態のパネルの駆動マップの四半分である。
【図１４】理論上のビームインピーダンスに対する計測されたビームインピーダンスのグラフである。
【図１５】計測されたビームインピーダンスに対するキーとなる励振器パラメータのグラフである。
【図１６】周波数に対するシミュレートされたオン・アクシス音圧のグラフである。
【図１７ａ】周波数に対するシミュレートされた駆動点速度のグラフである。
【図１７ｂ】周波数に対するシミュレートされた駆動点速度のグラフである。
【図１８】異なる励振器の位置を示すパネルの線図である。
【図１９】周波数に対する駆動点速度のグラフである。
【図２０】ラウドスピーカの第１の実施形態の平面図である。
【図２１】２つの別々の位置に励振器を有する、図２０のラウドスピーカのオン・アクシス音圧のグラフである。
【図２２】ラウドスピーカの第２の実施形態の平面図である。
【図２３】２つの別々の位置に励振器を有する、図２２のラウドスピーカのオン・アクシス音圧のグラフである。
【図２４】ラウドスピーカの第３の実施形態の平面図である。
【図２５】２つの異なる条件における、図２４のラウドスピーカのオン・アクシスの音圧のグラフである。
【図２６】ラウドスピーカの第４の実施形態の平面図である。
【図２７】２つの異なる条件における、図２４のラウドスピーカのオン・アクシス音圧のグラフである。
【図２８】スクリーンの対向する側部にビーム状のパネルスピーカを備えたディスプレースクリーンすなわちモニタの正面図である。
【図２９】図２８の実施形態に関するスピーカパネルの背面図である。
【図３０】図２８及び２９のスピーカに関する、周波数に対する空間的に平均化された音圧レベルのグラフである。
【図３１】追加の低周波数用のスピーカを有する、図２８から図３０のスピーカの応答のグラフである。
【符号の説明】
【００９６】
Ａ  ノード線
Ｂ  ノード線
【図２】
2005506013.tif 000012
【図３】
2005506013.tif 000013
【図４】
2005506013.tif 000014
【図５】
2005506013.tif 000015
【図６】
2005506013.tif 000016
【図７】
2005506013.tif 000017
【図８】
2005506013.tif 000018
【図９】
2005506013.tif 000019
【図１０】
2005506013.tif 000020
【図１１】
2005506013.tif 000021
【図１２】
2005506013.tif 000022
【図１３】
2005506013.tif 000023
【図１４】
2005506013.tif 000024
【図１５】
2005506013.tif 000025
【図１６】
2005506013.tif 000026
【図１７ａ】
2005506013.tif 000027
【図１７ｂ】
2005506013.tif 000028
【図１８】
2005506013.tif 000029
【図１９】
2005506013.tif 000030
【図２１】
2005506013.tif 000031
【図２３】
2005506013.tif 000032
【図２５】
2005506013.tif 000033
【図２７】
2005506013.tif 000034
【図３０】
2005506013.tif 000035
【図３１】
2005506013.tif 000036
【国際公開パンフレット】
2005506013.tif 000037
2005506013.tif 000038
2005506013.tif 000039
2005506013.tif 000040
2005506013.tif 000041
2005506013.tif 000042
2005506013.tif 000043
2005506013.tif 000044
2005506013.tif 000045
2005506013.tif 000046
2005506013.tif 000047
2005506013.tif 000048
2005506013.tif 000049
2005506013.tif 000050
2005506013.tif 000051
2005506013.tif 000052
2005506013.tif 000053
2005506013.tif 000054
2005506013.tif 000055
2005506013.tif 000056
2005506013.tif 000057
2005506013.tif 000058
2005506013.tif 000059
2005506013.tif 000060
2005506013.tif 000061
2005506013.tif 000062
2005506013.tif 000063
2005506013.tif 000064
2005506013.tif 000065
2005506013.tif 000066
2005506013.tif 000067
2005506013.tif 000068
2005506013.tif 000069
2005506013.tif 000070
2005506013.tif 000071
2005506013.tif 000072
2005506013.tif 000073
2005506013.tif 000074
2005506013.tif 000075
2005506013.tif 000076
2005506013.tif 000077
2005506013.tif 000078
2005506013.tif 000079
2005506013.tif 000080
2005506013.tif 000081
2005506013.tif 000082
2005506013.tif 000083
2005506013.tif 000084
2005506013.tif 000085
2005506013.tif 000086
2005506013.tif 000087
2005506013.tif 000088
2005506013.tif 000089
2005506013.tif 000090
2005506013.tif 000091
【国際公開パンフレット（コレクトバージョン）】
2005506013.tif 000092
【手続補正書】
【提出日】平成15年11月5日(2003.11.5)
【手続補正１】
【補正対象書類名】特許請求の範囲
【補正対象項目名】全文
【補正方法】変更
【補正の内容】
【特許請求の範囲】
【請求項１】
ビーム形状のパネル状音響放射体と、
撓み波エネルギーを加える位置で前記ビームに取り付けられ、前記放射体中に低周波数モードを前記放射体の長手方向及び前記放射体の横方向の両方に励起することが可能な振動励振器と、
長手方向及び横方向の低周波数モードの励起が許容されるように前記放射体を取り付けるための手段と、
を備え、
前記ビームの縦横比が少なくとも５対１で、５０対１より小さいことを特徴とする共振撓み波ラウドスピーカ。
【請求項２】
前記ビームは、ｘ及びｙ方向の撓み剛性の比が５対１から１対５までの間の異方性材料であることを特徴とする請求項１に記載のラウドスピーカ。
【請求項３】
前記ビームの物理的なパラメータと前記ビーム上の前記変換器の位置は、前記ビーム内における長手方向及び横方向のモードの周波数が交錯されて滑らかな低周波数応答を生成するようにされたことを特徴とする請求項１又は請求項２に記載のラウドスピーカ。
【請求項４】
前記取付手段が前記ビームの短い縁部を拘束することを特徴とする、前記請求項のいずれか１項に記載のラウドスピーカ。
【請求項５】
前記取付手段は、前記放射体のモード分布に対する影響が最低限になる前記ビームの領域に取り付けられたことを特徴とする前記請求項のいずれか１項に記載のラウドスピーカ。
【請求項６】
前記取付手段は、前記ビームの両側の側部に非対称な縁部条件又は境界条件を提供することを特徴とする前記請求項のいずれか１項に記載のラウドスピーカ。
【請求項７】
前記取付手段は、前記ビームの長い寸法の方に適用され、低周波数モードを減衰させて周波数応答を滑らかにするコンプライアントなテープ又はフィルム、或いは低弾性係数の発泡体の懸架を含むことを特徴とする前記請求項のいずれか１項に記載のラウドスピーカ。
【請求項８】
前記振動変換器は電気力学的方式のものであり、前記ビームの低周波数における機械的インピーダンスが前記励振器のパラメータと相互作用して、低周波数領域のモードの周波数が前記励振器の存在によって変更されるラウドスピーカを創出することを特徴とする前記請求項のいずれか１項に記載のラウドスピーカ。
【請求項９】
前記請求項のいずれか１項に記載の共振撓み波ラウドスピーカの設計方法であって、
ビームの物理的なパラメータから該ビームにおける共振モードのモデルを導出することによって、該ビーム上に振動変換器を配置するための位置を決定し、
このモデルを使用し、前記変換器から前記ビームへの機械的な入力を周波数を関数として計算し、
前記機械的な入力の滑らかさの尺度を計算し、
前記滑らかさの尺度の所望の値を有する前記振動変換器の位置を選定する、
ことを特徴とする方法。
【請求項１０】
前記機械的な入力の滑らかさの尺度は、平均入力の一定値からの前記入力の平均自乗偏差であることを特徴とする請求項９に記載の方法。
【請求項１１】
前記機械的な入力は前記ビーム上の単一点に対して一定の点状の力が加えられるときのものとして計算されることを特徴とする請求項９又は請求項１０に記載の方法。
【請求項１２】
前記滑らかさの尺度を最適化する振動変換器の位置を選定することを特徴とする請求項９から請求項１１のいずれか１項に記載の方法。
【国際調査報告】
2005506013.tif 000093
2005506013.tif 000094